(57)【要約】【課題】本発明の目的は、家庭等の浴槽において簡単な装置により入浴者に優れた照明効果を与えることができる浴槽用ランプを提供すること。【解決手段】  発光体を点灯させるための点灯制御部を内蔵する円筒状の容器本体部２と、該容器本体部内に設けられ且つ発光体を挿通するための開口穴が形成された反射部材９と、該反射部材９を覆うように容器本体部１の開口部に取り付けられた光透過プレート３と、を備え、これらが透明ケースに内蔵されている浴槽用ランプ。【選択図】図１４
2006338959.tif 000002
【特許請求の範囲】
【請求項１】
発光体を点灯させるための点灯制御部を内蔵する容器本体部と、該容器本体部が防水性の透明ケースに内蔵されていることを特徴とする浴槽用ランプ。
【請求項２】
発光体を点灯させるための点灯制御部を内蔵する円筒状の容器本体部と、
該容器本体部内に設けられ且つ発光体を挿通するための開口穴が形成された反射部材と、
該反射部材を覆うように容器本体部の開口部に取り付けられた光透過プレートと、
を備え、これらが防水性の透明ケースに内蔵されていることを特徴とする浴槽用ランプ。
【請求項３】
透明ケースには吸盤が設けられたことを特徴とする請求項１に記載の浴槽用ランプ。
【請求項４】
透明ケースには錘が設けられたことを特徴とする請求項１に記載の浴槽用ランプ。
【請求項５】
透明ケースは球状であることを特徴とする請求項１に記載の浴槽用ランプ。
【請求項６】
点灯制御部にノイズ消去装置を備えたことを特徴とする請求項１に記載の浴槽用ランプ。
【請求項７】
ノイズ消去装置は、
表面に螺旋溝が形成された第一導体と、
螺旋溝に噛み合わない状態で第一導体の外側に配置されたコイル状の第二導体と、
該第二導体の外側に配置された円筒状金属シートと、
該円筒状金属シートの外側に配置された被覆部材と、
円筒状金属シートと第一導体との間隙に充填された、被覆部材と同一材料の充填部材と、
を備える螺旋形成導体装置であることを特徴とする請求項６記載の浴槽用ランプ。
【請求項８】
発光体として発光色の異なる複数の発光ダイオード（ＬＥＤ）を用いたことを特徴とする請求項１記載の浴槽用ランプ。
【請求項９】
発光体は、中心位置とその周囲の複数位置に設けられ、
該周囲の複数の位置には、発光ダイオード（ＬＥＤ）が配置されてなることを特徴とする請求項１記載の浴槽用ランプ。
【発明の詳細な説明】
【技術分野】
【０００１】
本発明は、入浴中に浴槽内をライトアップし審美性を高めるための浴槽用ランプに関し、更に詳しくは、発光体を点灯させる容器本体部を内蔵した透明ケースを有する浴槽用ランプに関する。
【背景技術】
【０００２】
従来、浴室の演出効果を高めるために浴室内にミラーボールを設置する浴室内照明装置が知られている（例えば、特許文献１参照）。
この浴室内照明装置は、スポットライトを駆動してミラーボールを照射して浴槽に向けて光を反射させる装置である。
また、この装置では、ミラーボールからの光の反射の他に、光の照射と同時にジェットポンプを駆動して浴槽の湯面でミラーボールからの光を煌めかせることが行われる。
【０００３】
【特許文献１】特開２００２−８５２７５号公報
【発明の開示】
【発明が解決しようとする課題】
【０００４】
しかしながら、上述したような浴室内を照射する照明装置では、ミラーボールやスポットライトを設置しなくてはならず、装置も全体に大がかりとなり、浴室内の工事も必要である。
ところで、入浴者に光の演出効果を与えるには、入浴者の頭上から光を照射する代わりに浴槽内に照明装置自体を設置することも考えられる。
その方が、照明源が水の中となり、入浴者は反射光を直接下方から視認することができるため、光の演出的な照明効果も大きい。
しかし、そのような照明源を浴槽内に配置して照明効果を発揮できる浴槽用の照明具としては、いまだ満足するものは提供されていない。
【０００５】
本発明は、このような背景をもとになされたものである。
すなわち、本発明は、家庭等の浴槽において簡単な装置により入浴者に優れた照明効果を与えることができる浴槽用ランプを提供することを目的とする。
【課題を解決するための手段】
【０００６】
かくして、本発明者は、このような課題背景に対して鋭意研究を重ねた結果、透明な容器内に照明装置を設けてることにより、上記の問題点を解決することができることを見出し、この知見に基づいて本発明を完成させたものである。
【０００７】
すなわち、本発明は、（１）、発光体を点灯させるための点灯制御部を内蔵する容器本体部と、該容器本体部が防水性の透明ケースに内蔵されている浴槽用ランプに存する。
【０００８】
また、本発明は、（２）、発光体を点灯させるための点灯制御部を内蔵する円筒状の容器本体部と、該容器本体部内に設けられ且つ発光体を挿通するための開口穴が形成された反射部材と、該反射部材を覆うように容器本体部の開口部に取り付けられた光透過プレートと、を備え、これらが防水性の透明ケースに内蔵されている浴槽用ランプに存する。
【０００９】
また、本発明は、（３）、透明ケースには吸盤が設けられた上記（１）に記載の浴槽用ランプに存する。
【００１０】
また、本発明は、（４）、透明ケースには錘が設けられた上記（１）に記載の浴槽用ランプに存する。
【００１１】
また、本発明は、（５）、透明ケースは球状である上記（１）に記載の浴槽用ランプに存する。
【００１２】
また、本発明は、（６）、点灯制御部にノイズ消去装置を備えた上記（１）に記載の浴槽用ランプに存する。
【００１３】
また、本発明は、（７）、ノイズ消去装置は、表面に螺旋溝が形成された第一導体と、螺旋溝に噛み合わない状態で第一導体の外側に配置されたコイル状の第二導体と、該第二導体の外側に配置された円筒状金属シートと、該円筒状金属シートの外側に配置された被覆部材と、円筒状金属シートと第一導体との間隙に充填された、被覆部材と同一材料の充填部材と、を備える螺旋形成導体装置である上記（６）に記載の浴槽用ランプ。
【００１４】
また、本発明は、（８）、発光体として発光色の異なる複数の発光ダイオード（ＬＥＤ）を用いた上記（１）に記載の浴槽用ランプに存する。
【００１５】
また、本発明は、（９）、発光体は、中心位置とその周囲の複数位置に設けられ、該周囲の複数の位置には、発光ダイオード（ＬＥＤ）が配置されてなる上記（１）に記載の浴槽用ランプに存する。
【００１６】
なお、本発明の目的に添ったものであれば、上記（１）から（９）を適宜組み合わせた構成も採用可能である。
【発明の効果】
【００１７】
本発明の浴槽用ランプは、発光体を点灯させるための点灯制御部を内蔵する容器本体部と、該容器本体部が防水性の透明ケースに内蔵されている。
容器本体部から発した光は透明ケースを通過して、浴槽の水中を照らすとともに、浴室内をも照明することとなる。
浴槽用ランプに吸盤を備え付けることで、浴槽内のどの部分にも仮固定することができる。
浴槽用ランプに錘を備え付けて浴槽の底部に沈めたりすることで、水底で安定した状態となる。
【００１８】
特に、発光体として発光色の異なる複数の発光ダイオード（ＬＥＤ）を用い、点灯制御部により逐次発光色を変更することで、演出効果が大幅に向上する。
また、点灯制御部にノイズ消去装置を備えれば、発光体の光が安定化し演出効果の向上に寄与する。
【発明を実施するための最良の形態】
【００１９】
以下、本発明を実施するための最良の形態を図面を用いて説明する。
［第一実施形態］
図１は本発明の第一実施形態に係る浴槽用ランプを示している。
この実施形態の浴槽用ランプ１は、浴槽Ｙの側壁に取り付けられている。
より具体的には、浴槽用ランプ１の底面側に設けられた吸盤Ｋ（図２参照）を用いて貼り付けられている。
そして、浴槽用ランプ１から光が放射されると、浴槽Ｙ内で光が拡散する。
そのため、入浴者は下方からその拡散光を見ることができ、光の演出効果を与えることができる。
また、浴槽を出た散乱光は、浴室内全体を照らして更に演出的な照明効果を発揮することができる。
【００２０】
浴槽用ランプ１は、図２に示すように、有底円筒状の容器本体部２を有している。
この容器本体部２の外壁は主としてプラスチック製で形成されており、例えば、表面に金属メッキが施されており、優れた美感を呈するものである。
もっとも、アルミニウム等の金属材料を使って作製するとメタリック調な表面つやを出すことができる。
【００２１】
この容器本体部２の開口側には、光を透過する樹脂製の光透過プレート３が設けられている。
光透過プレート３の下面側は平坦にされているが、上面側には、碁盤の目状に溝が形成されている。
【００２２】
容器本体部２の側外壁には、プラグコード７が取り付けられ、浴槽用ランプ１を発光状態にすべく外部から電力が供給される。
また、容器本体部２の内部に水が浸入して故障するのを防ぐために、容器本体部２は、その周囲を防水性の透明ケース、例えば透明なプラスチックケースに収納される。
その場合、プラスチックケースＰは、容器本体部２の周囲に密着するように取り付けて収納してもよいし、また容器本体部２に間隙を持たせて取り付けて収納してもよい。
図３では、両者の取り付けは、容器本体部２とプラスチックケースＰとを底面にて固着具（螺子等）Ｎにより固定されている。
【００２３】
また、プラスチックケースＰの底面には、図３に示すように、小型の吸盤Ｋが二ヶ所に設けられている。
このように二個の吸盤Ｋを設けているのは、浴槽用ランプ１を浴槽Ｙの側壁に取り付けた際の取付け安定性の面からである。
なお、大きな吸盤を一つ設け浴槽用ランプ１を浴槽Ｙに取り付けることも可能である。
【００２４】
吸盤Ｋの位置をプラスチックケースＰの底面ではなく、図４に示すように、側壁に取り付けることも可能である。
【００２５】
図５は、容器本体部２内に設けられた構成部材を示している。
ＬＥＤ点灯用基板５には、プラグコード７のプラグ４の端子４ａが着脱自在に接続されるリセプタクルコネクター８が配設されている。
そして、リセプタクルコネクター８と端子４ａとを接続し、更にプラグ６をコンセントに差し込むことで、ＬＥＤ点灯用基板５に電力を供給可能となる。
【００２６】
ＬＥＤ点灯用基板５上には、碗状の反射部材９が設けられている。
この反射部材９の内側面９ａは鏡面状に形成されており、反射率が高い。
例えば、金属材料を鏡面仕上げしたものや、プラスチックに金属メッキを施したものが用いられる。
【００２７】
図６は、浴槽用ランプ１から光透過プレート３を上方に取り外した状態（プラスチックケースを省略）を示している。
容器本体部２には、反射部材９が挿入されている。
反射部材９の大径側には、フランジ部９ｂが形成されている。
このフランジ部９ｂの外径と容器本体部２の内径とを同径とすることで、反射部材９は容器本体部２に正確に嵌め込まれている。
【００２８】
反射部材９の中央には、ＬＥＤ点灯用基板５に設けられたＬＥＤ群１０を挿通するための開口穴９ｃが形成されている。
ＬＥＤ群１０には、発光体であるＬＥＤ１１Ａ〜１１Ｆと白熱ランプ１１Ｇとが設けられている。
具体的には、六角形の各頂点に相当する位置にＬＥＤ１１Ａ〜１１Ｆがそれぞれ配置され、その中心位置に、ＬＥＤ１１Ａ〜１１Ｆよりもやや大きな形状をした白熱ランプ１１Ｇが配置されている。
【００２９】
ＬＥＤ１１Ａ，１１Ｄは例えば赤色の光を放射し、ＬＥＤ１１Ｂ，１１Ｅは緑色の光を放射し、ＬＥＤ１１Ｃ，１１Ｆは青色の光を放射する。
すなわち、光の三原色が放射される。
そして、点灯制御部によりＬＥＤ１１Ａ〜１１Ｆの中から発光させるＬＥＤと発光させないＬＥＤとを適宜選択して、所望の色を照射することが可能となっている。
【００３０】
白熱ランプ１１Ｇは、自然光を放射する。光透過プレート３上に載置された商品に暖かみを与えるには、白熱光が適している。
そして、光透過プレート３の下方にあるＬＥＤ１１Ａ〜１１Ｆ及び白熱ランプ１１Ｇを適宜選択して点灯させると、光透過プレート３から出る光を審美的に見せることができる。
【００３１】
なお、白熱ランプ１１Ｇの代わりに赤外線や紫外線を放射するランプを用いても当然良い。
また、ＬＥＤや白熱ランプの個数は、必要に応じて適宜変更可能である。
【００３２】
さて、図７は、点灯制御部に備わっているノイズ低減用のノイズ消去装置（例えば通電回路に介在されている）の例を示している。
図８は、図７（Ａ）のＡ−Ａ線に沿う断面図である。
この図７（Ａ）のノイズ消去装置１２は、螺旋溝１３ａが形成された第一導体１３を有しており、螺旋形成導体装置とされている。
この螺旋溝１３ａの角度θは（いわゆるリード角）は、自由に設定可能であるが、特に、５１度５０分（黄金角）にするのが好ましい。
【００３３】
第一導体１３の外側には、第一導体１３と導通しないようにコイル状の第二導体１４が巻回されている。
この第二導体１４の巻回方向は、螺旋溝１３ａと反対回りに形成され、螺旋溝１３ａと噛み合わない状態にされている。
【００３４】
第二導体１４の外側には、円筒状金属シート１５が設けられている。
もっとも、この円筒状金属シート１５は、第二導体１４を紙片（和紙等が好適）を巻き付けた上に設けることが好ましい。
この円筒状金属シート１５は、第二導体１４の外周を覆うようにされており、その材料としては、例えばアルミニウムが用いられるが、より好ましくは、アモルファス金属が採用される。
円筒状金属シート１５の外側には、被覆部材１６が設けられている。
被覆部材１６の材料としては、例えば合成樹脂が採用され、具体的には、ポリウレタン樹脂、アクリル樹脂、無機質粉末（トルマリン、蛇紋石粉末等）、磁鉄鉱粉末、シリコン粉末等を使用することが好ましい。
【００３５】
被覆部材１６は、少なくとも内包した第一導体１３、第二導体１４、及び円筒状金属シート１５を保護する役割を果たしている。
円筒状金属シート１５と第一導体１３との間隙には、被覆部材１６と同一材料の充填部材１７が充填されている。
【００３６】
この充填部材１７は、第一導体１３と第二導体１４と円筒状金属シート１５とが相互に確実に導通しないようにする役割や固定化の役割を果たしている。
第一導体１３と第二導体１４とは電気的に並列に配置されている。
なお、ノイズ消去装置１２の両端には他の配線と接続するために接点Ｓ１，Ｓ２を設けた。
ところで、以上説明したノイズ消去装置１２の他に図７（Ｂ）にその変形例を示した。  
【００３７】
この変形例は、第一導体１３が互いに交差する反対方向の２本の螺旋溝１３ａを有するものであり、その他の構造は図７（Ａ）に示すノイズ消去装置と同じである。
図７（Ａ）及び図７（Ｂ）に示すようなノイズ消去装置１２を点灯制御部に備えれば、発光体の光が安定化し演出効果の向上に寄与する。
【００３８】
図９は、ＬＥＤの点灯システムの概略を示している。
この点灯システム１８は、ＬＥＤ１１Ａ〜１１Ｆと白熱ランプ１１Ｇとを有している。  このＬＥＤ１１Ａ〜１１Ｆと白熱ランプ１１Ｇは、それぞれ点灯駆動回路１９に接続されている。
【００３９】
この点灯駆動回路１９は、ＬＥＤ点灯用基板５に形成されており、また点灯駆動回路１９には、交流を直流に変更するＡＤ−ＤＣコンバータが形成されている。
前述のノイズ消去装置１２は、点灯駆動回路１９の交流電圧が加わる部分に設置される。
【００４０】
点灯駆動回路１９は、ＬＥＤ点灯用基板５上に形成された制御部２０により制御される。
具体的には、制御部２０は、ＬＥＤ１１Ａ〜１１Ｆ及び白熱ランプ１１Ｇの点灯や消灯を指示制御する。
この制御部２０からの指示により、所定の規則に合わせてＬＥＤ１１Ａ〜１１Ｆ及び白熱ランプ１１Ｇを点灯させたり点滅させると、躍動感のある光の演出が可能となる。
【００４１】
特に、ＬＥＤ１１Ａ〜１１Ｆが複数種類の光を発光するようにすれば、より具体的には、例えば、２個のＬＥＤ１１Ａ，１１Ｄの発光色を赤、２個のＬＥＤ１１Ｂ，１１Ｅの発光色を緑、２個のＬＥＤ１１Ｃ，１１Ｆの発光色を青、とし、点灯制御部により逐次発光色を変更することで、演出効果が大幅に向上する。
【００４２】
制御部２０には、電源２１が接続されている。
この電源２１は、商用１００Ｖ電源であり、前記プラグコード７を介して、制御部２０に電力が供給される。
【００４３】
ところで、図１０は、ノイズ消去装置１２の効果を確認するために行った実験装置を示している。
この実験装置では、２つのノイズ消去装置１２〔図７（Ａ）の場合〕が相互に平行に配置されている。
【００４４】
なお、このノイズ消去装置１２は、この装置がない状態の実験結果と比較する必要があるため、容易に取外し可能に設けられている。
ノイズ消去装置１２の一端には商用交流（１００Ｖ）を入力することとし、その出力側に負荷としてドライヤ２２を接続した。
ドライヤ２２は、ＩＺＵＭＩ製造、定格１００Ｖ、１２００Ｗ、５０〜６０Ｈｚ仕様である。
【００４５】
ノイズ消去装置１２の一端の交流入力と他端の交流出力とを二現象オシロスコープ２３（ＳＳ−５７０２  ＤＣ〜２０ＭＨｚ規格）を接続して波形を観測した。
その結果、本発明のノイズ消去装置１２の場合は、交流波形のノイズ成分が効果的に除去されているものであった。
【００４６】
図１１は、図１０の実験装置を用いて実測した交流波形を示している（なお、ここでの波形は、便宜的に実測値を模式化して示したものである）。
図１１（Ａ）は、ノイズ消去装置１２を取り付けないで測定した波形であり、図１１（Ｂ）は、ノイズ消去装置１２を取り付けて測定した波形を示している。
【００４７】
これらの波形を比較すると、ノイズ消去装置１２を設けたことでノイズ成分が効果的に除去されることが分かる。
【００４８】
［第二実施形態］
図１２は本発明の第二実施形態に係る浴槽用ランプを示している。  
この実施形態の浴槽用ランプ１Ａは、浴槽Ｙの底部に沈められて用いられる（図１３参照）。
浴槽用ランプ１Ａが浴槽Ｙ内に沈んで且つ安定するように、プラスチックケースＰの下面には錘Ｇが固着具（螺子等）により取り付けられている。
【００４９】
この錘ＧはプラスチックケースＰの底面に取り付けられておりステンレス等の金属を採用することが好ましいが、陶器材料等のいわゆる比重の重いものであればよい。
【００５０】
なお、この第二実施形態の浴槽用ランプ１Ａは第一実施形態の浴槽用ランプ１と比べて、吸盤Ｋの替りに錘Ｇを取り付けた点でのみ相違するため、他の構造についての説明は省略する。
【００５１】
［第三実施形態］
図１４は本発明の第三実施形態に係る浴槽用ランプを示している。
この第三実施形態の浴槽用ランプ１Ｂは第二実施形態の浴槽用ランプ１Ａと比べて、プラグコード７がなく、充電部７Ａが設けられている点でのみ異なるものである。
この充電部７Ａは、図示しない非接触型の充電器を使って充電することができる。
【００５２】
一定期間すると充電することが必要であるが、プラグコード７が不要となり扱いに便利である。
【００５３】
また、図１４（Ｂ）に示すように、プラスチックケースを上下に分割して、上ケースＰ１と下ケースＰ２とを螺合により取り外し自在とすることも可能である。
この場合は、容器本体部２を取り出すことができるため、充電部７Ａは、図示しない接触型の充電器を使って充電するようにできる。
また、容器本体部２を自由に取り出せることから、充電部７Ａとして乾電池等を使うことが可能である。
【００５４】
［第四実施形態］
図１５は本発明の第四実施形態に係る浴槽用ランプを示している。
この実施形態の浴槽用ランプ１Ｃは、浴槽Ｙ内において湯に浮かべて用いられる（図１６参照）。
浴槽用ランプ１Ｃが浴槽Ｙ内において湯に浮かべるために、容器本体部２は球状の透明のプラスチックケースＰに収納される。
このプラスチックケースＰは、自由に水面を浮遊することができるものである。
【００５５】
以上、本発明を説明してきたが、本発明は上述した実施形態にのみ限定されるものではなく、その本質を逸脱しない範囲で、他の種々の変形が可能であることはいうまでもない。
例えば、ノイズ消去装置は、点灯制御部内だけではなく、本発明である浴槽用ランプに内蔵されている通電回路に設けられていれば十分効果を達成できるものである。
【００５６】
また、容器本体部２の外形としては円筒の例で述べたが、内部の機能が維持できるものであれば、その形状は問わない。
プラスチックケースにおいても同様である。
また透明ケース（透明のプラスチックケース等）は、極力透明に近いことが好ましいが、透明度合いは問わない。
【図面の簡単な説明】
【００５７】
【図１】図１は、本発明の浴槽用ランプの第一実施形態の適用例を示す説明図である。
【図２】図２は、本発明の浴槽用ランプの第一実施形態の外観を示す説明図である。
【図３】図３は、図２の浴槽用ランプを底面側から見た場合の外観を示す説明図である。
【図４】図４は、図２の浴槽用ランプの吸盤の取付位置を変更したものを示す説明図である。
【図５】図５は、図２の容器本体部内に設けられる構成部材を示す説明図である。
【図６】図６は、図２の浴槽用ランプから光透明プレートを取り除いた状態を示す説明図である。
【図７】図７は、図６のＬＥＤ点灯用基板に設けられる螺旋形成導装置の例を示す説明図である。
【図８】図８は、図７（Ａ）のＡ−Ａ線に沿う断面図である。
【図９】図９は、図２の浴槽用ランプに形成されるＬＥＤの点灯システムを示す説明図である。
【図１０】図１０は、ノイズ消去装置の効果を確認するための実験装置を示す説明図である。
【図１１】図１１は、図１０の実験装置を用いて実測した交流波形を示している。
【図１２】図１２は、本発明の浴槽用ランプの第二実施形態の外観を示す説明図である。
【図１３】図１３は、本発明の浴槽用ランプの第二実施形態の適用例を示す説明図である。
【図１４】図１４は、本発明の浴槽用ランプの第三実施形態を示す説明図である。（Ａ）は外観を示しており、（Ｂ）は上ケースが取り外された状態を示している。
【図１５】図１５は、本発明の浴槽用ランプの第四実施形態の外観を示す説明図である。
【図１６】図１６は、本発明の浴槽用ランプの第四実施形態の適用例を示す説明図である。
【符号の説明】
【００５８】
１，１Ａ，１Ｂ，１Ｃ  浴槽用ランプ
２  容器本体部
３  光透過プレート
４  プラグ
４ａ  端子
５  ＬＥＤ点灯用基板
６  プラグ
７  プラグコード
８  リセプタクルコネクター
９  反射部材
９ａ  内側面
９ｂ  フランジ部
９ｃ  開口穴
１０  ＬＥＤ群
１１Ａ〜１１Ｆ  ＬＥＤ
１１Ｇ  白熱ランプ
１２  ノイズ消去装置
１３  第一導体
１３ａ  螺旋溝
１４  第二導体
１５  円筒状金属シート
１６  被覆部材
１７  充填部材
１８  点灯システム
１９  点灯駆動回路
２０  制御部
２１  電源
２２  ドライヤ
２３  二現象オシロスコープ
Ｂ  バッテリー
Ｇ  錘
Ｋ  吸盤
Ｎ  螺子
Ｐ  プラスチックケース
Ｐ１  上ケース
Ｐ２  下ケース
Ｓ１，Ｓ２  接点  
Ｙ  浴槽
【図１】
2006338959.tif 000003
【図２】
2006338959.tif 000004
【図３】
2006338959.tif 000005
【図４】
2006338959.tif 000006
【図５】
2006338959.tif 000007
【図６】
2006338959.tif 000008
【図７】
2006338959.tif 000009
【図８】
2006338959.tif 000010
【図９】
2006338959.tif 000011
【図１０】
2006338959.tif 000012
【図１１】
2006338959.tif 000013
【図１２】
2006338959.tif 000014
【図１３】
2006338959.tif 000015
【図１４】
2006338959.tif 000016
【図１５】
2006338959.tif 000017
【図１６】
2006338959.tif 000018